【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
作業者に把持され上下方向に延びるグリップと、
前記グリップの下端に接続されたバッテリと、
前記グリップの上端に接続され光を発する照射部と、を備えた照明器具であって、
前記照射部を、前記グリップの上端から上方に延びる第１の位置と、前記グリップの上端から下方に延びる第２の位置と、の間で回動可能に前記グリップに接続し、
光を発する第１ランプを前記照射部の前記グリップ側の端部に設け、前記第１ランプとは分離され光を発する第２ランプを前記照射部の側面に設けたことを特徴とする照明器具。
【請求項２】
前記照射部を、前記第１の位置と、前記第２の位置と、前記グリップの上端から後方に延びる第３の位置と、の間で回動可能に前記グリップに接続し、
前記バッテリを、前記グリップに対して前方に偏って配置したことを特徴とする請求項１に記載の照明器具。
【請求項３】
前記第２ランプは、前記グリップの後方を照射し、
前記バッテリを、前記グリップに対して前方に偏って配置したことを特徴とする請求項１に記載の照明器具。
【請求項４】
前記第１ランプが照射する方向と、前記第２ランプが照射する方向とは、交差し、
前記第１ランプを照射するか前記第２ランプを照射するかを切替可能なスイッチを、前記照射部が前記第２の位置にある状態でも外部から操作できる位置に設けたことを特徴とする請求項１乃至３のいずれか１項に記載の照明器具。
【請求項５】
作業者に把持され上下方向に延びるグリップと、
前記グリップの下端に接続されたバッテリと、
前記グリップの上端に接続され光を発する照射部と、を備えた照明器具であって、
前記照射部を、前記グリップの上端から上方に延びる第１の位置と、前記グリップの上端から下方に延びる第２の位置と、前記グリップの上端から後方に延びる第３の位置と、の間で回動可能に前記グリップに接続し、
前記バッテリを、前記グリップに対して前方に偏って配置したことを特徴とする照明器具。
【請求項６】
前記照射部に、前記グリップの後方を照射する第２ランプを設けたことを特徴とする請求項５に記載の照明器具。
【請求項７】
前記照射部に、光を発する第１ランプと、前記第１ランプが照射する方向に対して交差する方向を照射する第２ランプと、を設け、
前記第１ランプを照射するか前記第２ランプを照射するかを切替可能なスイッチを、前記照射部が前記第２の位置にある状態でも外部から操作できる位置に設けたことを特徴とする請求項５に記載の照明器具。
【請求項８】
作業者に把持され上下方向に延びるグリップと、
前記グリップの下端に接続されたバッテリと、
前記グリップの上端に接続され光を発する照射部と、を備えた照明器具であって、
前記照射部に、前記グリップの後方を照射する第２ランプを設け、
前記バッテリを、前記グリップに対して前方に偏って配置したことを特徴とする照明器具。
【請求項９】
前記照射部を、前記グリップの上端から上方に延びる第１の位置と、前記グリップの上端から下方に延びる第２の位置と、の間で回動可能に前記グリップに接続し、
前記照射部に、前記第２ランプが照射する方向に対して交差する方向を照射する第１ランプを設け、
前記第１ランプを照射するか前記第２ランプを照射するかを切替可能なスイッチを、前記照射部が前記第２の位置にある状態でも外部から操作できる位置に設けたことを特徴とする請求項８に記載の照明器具。
【請求項１０】
作業者に把持され上下方向に延びるグリップと、
前記グリップの下端に接続されたバッテリと、
前記グリップの上端に接続され光を発する照射部と、を備えた照明器具であって、
前記照射部を、前記グリップの上端から上方に延びる第１の位置と、前記グリップの上端から下方に延びる第２の位置と、の間で回動可能に前記グリップに接続し、
前記照射部に、光を発する第１ランプと、前記第１ランプが照射する方向に対して交差する方向を照射する第２ランプと、を設け、
前記第１ランプを照射するか前記第２ランプを照射するかを切替可能なスイッチを、前記照射部が前記第２の位置にある状態でも外部から操作できる位置に設けたことを特徴とする照明器具。
【請求項１１】
作業者に把持されるグリップの一端側に、バッテリが装着されるバッテリ保持部が設けられ、
前記グリップを基準として光の照射方向が可変であるランプによって光を照射する照明器具であって、
前記ランプとして、第１ランプと第２ランプとを備え、
前記グリップの他端側に第１回動軸を介して設けられ、かつ前記第１回動軸の回りに回動可能な照射部基部に前記第１ランプが設けられ、
前記照射部基部に第２回動軸を介して設けられ、かつ前記第２回動軸の回りに回動可能な照射部先端部に、前記第２ランプが設けられることを特徴とする照明器具。
【請求項１２】
前記照射部基部を前記第１回動軸の回りで回動させることにより、前記照射部先端部は前記グリップの長手方向にわたって前記グリップの一方の側に近づくことを特徴とする請求項１１に記載の照明器具。
【請求項１３】
前記グリップの一方の側における、前記グリップと、前記バッテリ又は前記バッテリ保持部の前記グリップから最も遠い箇所との距離は、
前記グリップの他方の側における、前記グリップと、前記バッテリ又は前記バッテリ保持部の前記グリップから最も遠い箇所との距離よりも小さいことを特徴とする請求項１２に記載の照明器具。
【請求項１４】
前記バッテリは、前記グリップの他方の側から、前記バッテリ保持部に装着されることを特徴とする請求項１２又は１３に記載の照明器具。
【請求項１５】
前記照射部先端部における前記照射部基部と反対側の端部に、第３ランプが設けられることを特徴とする請求項１２乃至１４のいずれか一項に記載の照明器具。
【請求項１６】
前記照射部基部を前記第１回動軸の回りで回動させ、前記照射部先端部を前記グリップの長手方向にわたって前記グリップの一方の側に近づけた状態のもとで、前記グリップの一方の側から平面に前記照明器具を置いた際に、
前記バッテリ又はバッテリ保持部と、前記グリップの他端側又は前記照射部基部とは、前記平面に接し、前記第３ランプは、前記平面から離れることを特徴とする請求項１５に記載の照明器具。
【請求項１７】
作業者に把持されるグリップの一端側に、バッテリが装着されるバッテリ保持部が設けられ、
前記グリップを基準として光の照射方向が可変であるランプによって光を照射する照明器具であって、
前記グリップの他端側に第１回動軸を介して設けられ、かつ前記第１回動軸の回りに回動可能である照射部に前記ランプが設けられ、
前記照射部を前記第１回動軸の回りで回動させることにより、前記照射部は前記グリップの長手方向にわたって前記グリップの一方の側に近づき、
前記グリップの一方の側における、前記グリップと、前記バッテリ又は前記バッテリ保持部の前記グリップから最も遠い箇所との距離は、
前記グリップの他方の側における、前記グリップと、前記バッテリ又は前記バッテリ保持部の前記グリップから最も遠い箇所との距離よりも小さい、ことを特徴とする照明器具。
【請求項１８】
前記バッテリは、前記グリップの他方の側から、前記バッテリ保持部に装着されることを特徴とする請求項１７に記載の照明器具。
【手続補正２】
【補正対象書類名】明細書
【補正対象項目名】全文
【補正方法】変更
【補正の内容】
【発明の詳細な説明】
【発明の名称】照明器具
【技術分野】
【０００１】
本発明は、光を照射する照明器具に関する。
【背景技術】
【０００２】
作業者によって携帯され、所望の箇所を照射することのできる照明器具として、例えばトーチライトがある。トーチライトは、様々な作業環境において作業の補助のために使用されている。トーチライトとしては、様々な形態のものが知られている。例えば、特許文献１には、広い範囲を照射するランプと、狭い範囲を特に明るく照射するランプと、を備えたトーチライトが記載されている。特許文献１のトーチライトは、２つのランプを備えるハウジングと、作業者によって把持されるグリップと、を有している。特許文献１のトーチライトにおいて、ハウジングとグリップとは回動自在に連結されている。このような構造のトーチライトにおいては、作業者によってハウジングの設定角度が調整され、２種類のランプを使い分けることによって、作業において最適な形態でトーチライトを使用することができる。
【先行技術文献】
【特許文献】
【０００３】
【特許文献１】ＵＳ２００８／０３０４２５４Ａ１号公報
【発明の概要】
【発明が解決しようとする課題】
【０００４】
例えば、トーチライトを屋外の作業場で使用する場合に、トーチライトによって照明される場所は様々である。このため、トーチライトは様々な場所に様々な形態で設置される。例えば、トーチライトは床や机等に載置されて使用される場合もある。一方、トーチライトは作業者に携帯されて使用される場合もある。このように、トーチライト等の照明器具には、様々な状況に応じて所望の範囲を適切に照射することが要求された。
【０００５】
更に、トーチライトが携帯されて使用される際にも、その使用態様は様々である。例えば、トーチライト以外の照明器具がない状況下で、作業者が取扱説明書を見ながら装置を操作する場合もある。こうした場合には、同時に複数の箇所を適切に照射することが必要となる。
【０００６】
また、トーチライトの電源としては、乾電池等を使用することができる。しかしながら、屋外の作業時において使用する場合等には、利便性を高めるため、トーチライトの電源として、他の電動の作業機器（コードレスドライバ等）と共通の大容量のバッテリを用いることが好ましい。また、大容量のバッテリを用いる場合には、乾電池等を電源とする場合と比べて、トーチライトの連続使用可能な時間を長くすることもできる。しかしながら、このようなバッテリは乾電池等と比べて大きく重いため、特許文献１に記載されるように、取り扱いが容易な細長い形態とすることは困難である。したがって、バッテリが装着されるトーチライト等の照明器具を、上記のような様々な態様で使用することは、作業者にとって照明器具の取り扱いを困難にしていた。
【０００７】
このように、様々な使用態様に対応して最適な照明を行うことのできる照明器具を得ることは困難であった。
【０００８】
本発明は、かかる問題点に鑑みてなされたものであり、上記の問題点を解決する発明を提供することを目的とする。
【課題を解決するための手段】
【０００９】
本発明は、上記課題を解決すべく、以下に掲げる構成とした。
一実施の形態の照明器具は、作業者に把持され上下方向に延びるグリップと、前記グリップの下端に接続されたバッテリと、前記グリップの上端に接続され光を発する照射部と、を備えた照明器具であって、前記照射部を、前記グリップの上端から上方に延びる第１の位置と、前記グリップの上端から下方に延びる第２の位置と、の間で回動可能に前記グリップに接続し、光を発する第１ランプを前記照射部の前記グリップ側の端部に設け、前記第１ランプとは分離され光を発する第２ランプを前記照射部の側面に設ける。
他の実施の形態の照明器具は、前記照射部を、前記第１の位置と、前記第２の位置と、前記グリップの上端から後方に延びる第３の位置と、の間で回動可能に前記グリップに接続し、前記バッテリを、前記グリップに対して前方に偏って配置する。
他の実施の形態の照明器具において、前記第２ランプは、前記グリップの後方を照射し、前記バッテリを、前記グリップに対して前方に偏って配置する。
他の実施の形態の照明器具において、前記第１ランプが照射する方向と、前記第２ランプが照射する方向とは、交差し、前記第１ランプを照射するか前記第２ランプを照射するかを切替可能なスイッチを、前記照射部が前記第２の位置にある状態でも外部から操作できる位置に設ける。
一実施の形態の照明器具は、作業者に把持され上下方向に延びるグリップと、前記グリップの下端に接続されたバッテリと、前記グリップの上端に接続され光を発する照射部と、を備えた照明器具であって、前記照射部を、前記グリップの上端から上方に延びる第１の位置と、前記グリップの上端から下方に延びる第２の位置と、前記グリップの上端から後方に延びる第３の位置と、の間で回動可能に前記グリップに接続し、前記バッテリを、前記グリップに対して前方に偏って配置する。
他の実施の形態の照明器具は、前記照射部に、前記グリップの後方を照射する第２ランプを設ける。
他の実施の形態の照明器具は、前記照射部に、光を発する第１ランプと、前記第１ランプが照射する方向に対して交差する方向を照射する第２ランプと、を設け、前記第１ランプを照射するか前記第２ランプを照射するかを切替可能なスイッチを、前記照射部が前記第２の位置にある状態でも外部から操作できる位置に設ける
一実施の形態の照明器具は、作業者に把持され上下方向に延びるグリップと、前記グリップの下端に接続されたバッテリと、前記グリップの上端に接続され光を発する照射部と、を備えた照明器具であって、前記照射部に、前記グリップの後方を照射する第２ランプを設け、前記バッテリを、前記グリップに対して前方に偏って配置する。
他の実施の形態の照明器具は、前記照射部を、前記グリップの上端から上方に延びる第１の位置と、前記グリップの上端から下方に延びる第２の位置と、の間で回動可能に前記グリップに接続し、前記照射部に、前記第２ランプが照射する方向に対して交差する方向を照射する第１ランプを設け、前記第１ランプを照射するか前記第２ランプを照射するかを切替可能なスイッチを、前記照射部が前記第２の位置にある状態でも外部から操作できる位置に設ける。
一実施の形態の照明器具は、作業者に把持され上下方向に延びるグリップと、前記グリップの下端に接続されたバッテリと、前記グリップの上端に接続され光を発する照射部と、を備えた照明器具であって、前記照射部を、前記グリップの上端から上方に延びる第１の位置と、前記グリップの上端から下方に延びる第２の位置と、の間で回動可能に前記グリップに接続し、前記照射部に、光を発する第１ランプと、前記第１ランプが照射する方向に対して交差する方向を照射する第２ランプと、を設け、前記第１ランプを照射するか前記第２ランプを照射するかを切替可能なスイッチを、前記照射部が前記第２の位置にある状態でも外部から操作できる位置に設ける。
一実施の形態の照明器具は、作業者に把持されるグリップの一端側に、バッテリが装着されるバッテリ保持部が設けられ、前記グリップを基準として光の照射方向が可変であるランプによって光を照射する照明器具であって、前記ランプとして、第１ランプと第２ランプとを備え、前記グリップの他端側に第１回動軸を介して設けられ、かつ前記第１回動軸の回りに回動可能な照射部基部に前記第１ランプが設けられ、前記照射部基部に第２回動軸を介して設けられ、かつ前記第２回動軸の回りに回動可能な照射部先端部に、前記第２ランプを設ける。
他の実施の形態の照明器具において、前記照射部基部を前記第１回動軸の回りで回動させることにより、前記照射部先端部は前記グリップの長手方向にわたって前記グリップの一方の側に近づく。
他の実施の形態の照明器具において、前記グリップの一方の側における、前記グリップと、前記バッテリ又は前記バッテリ保持部の前記グリップから最も遠い箇所との距離は、前記グリップの他方の側における、前記グリップと、前記バッテリ又は前記バッテリ保持部の前記グリップから最も遠い箇所との距離よりも小さい。
他の実施の形態の照明器具において、前記バッテリは、前記グリップの他方の側から、前記バッテリ保持部に装着される。
他の実施の形態の照明器具において、前記照射部先端部における前記照射部基部と反対側の端部に、第３ランプが設けられる。
他の実施の形態の照明器具において、前記照射部基部を前記第１回動軸の回りで回動させ、前記照射部先端部を前記グリップの長手方向にわたって前記グリップの一方の側に近づけた状態のもとで、前記グリップの一方の側から平面に前記照明器具を置いた際に、前記バッテリ又はバッテリ保持部と、前記グリップの他端側又は前記照射部基部とは、前記平面に接し、前記第３ランプは、前記平面から離れる。
一実施の形態の照明器具は、作業者に把持されるグリップの一端側に、バッテリが装着されるバッテリ保持部が設けられ、前記グリップを基準として光の照射方向が可変であるランプによって光を照射する照明器具であって、前記グリップの他端側に第１回動軸を介して設けられ、かつ前記第１回動軸の回りに回動可能である照射部に前記ランプが設けられ、前記照射部を前記第１回動軸の回りで回動させることにより、前記照射部は前記グリップの長手方向にわたって前記グリップの一方の側に近づき、前記グリップの一方の側における、前記グリップと、前記バッテリ又は前記バッテリ保持部の前記グリップから最も遠い箇所との距離は、前記グリップの他方の側における、前記グリップと、前記バッテリ又は前記バッテリ保持部の前記グリップから最も遠い箇所との距離よりも小さい。
他の実施の形態の照明器具において、前記バッテリは、前記グリップの他方の側から、前記バッテリ保持部に装着される。
【発明の効果】
【００１０】
本発明は以上のように構成されているので、様々な使用態様に対応して最適な照明を行うことのできる照明器具を得ることができる。
【図面の簡単な説明】
【００１１】
【図１】本発明の実施の形態に係るトーチライトの側面図（ａ）、正面図（ｂ）、断面図（ｃ）である。
【図２】本発明の実施の形態に係るトーチライトにおいて、バッテリが装着されない場合の形態を示す側面図である。
【図３】本発明の実施の形態に係るトーチライトが携帯される際の構成を示す側面図である。
【図４】本発明の実施の形態に係るトーチライトが携帯されて使用される際において、第１回動軸の回りの回動角度が調整された際の構成を示す図である。
【図５】本発明の実施の形態に係るトーチライトが携帯されて使用される際において、第１回動軸の回りの回動角度が調整された際の構成を示す図である。
【図６】本発明の実施の形態に係るトーチライトにおいて、第１回動軸、第２回動軸の回りの回動角度がそれぞれ調整された際の構成を示す図である。
【図７】本発明の実施の形態に係るトーチライトが、第１回動軸、第２回動軸の回りの回動角度がそれぞれ調整された状態で携帯される際の構成を示す図である。
【図８】本発明の実施の形態に係るトーチライトが載置されて使用される際において、第１回動軸の回りの回動角度が調整された際の構成を示す図である。
【図９】本発明の実施の形態に係るトーチライトの変形例の側面図（ａ）、斜視図（ｂ）である。
【図１０】本発明の実施の形態に係るトーチライトの変形例が平面上に載置される場合の形態を示す図である。
【発明を実施するための形態】
【００１２】
本発明の一実施の形態であるトーチライト（照明器具）について説明する。トーチライトには、着脱可能な大容量のバッテリが電源として用いられる。また、トーチライトは、光を照射するランプとして、広い照射角度をもつ第１ランプと、これよりも狭い範囲を特に明るく照射する第２ランプと、を具備する。第１ランプと第２ランプとの設定角度（照射方向）は、作業者の使用態様に応じて適切に設定される。第１ランプと第２ランプとを同時に最適な設定角度に調整し、第１ランプと第２ランプとを同時に使用することもできる。
【００１３】
図１（ａ）はトーチライト１０を示す側面図であり、図１（ｂ）はトーチライト１０を示す正面図である。また、図１（ｃ）は、図１（ｂ）のＡ−Ａ線に沿う断面図である。ここで、図１（ａ）及び（ｂ）は、トーチライト１０が作業台や床等に載置された際の形態を示す。図１（ｂ）は、図１（ａ）の右側からトーチライト１０を示した図である。
【００１４】
図１（ａ）及び（ｂ）に示すように、トーチライト１０は、上下方向に延伸するグリップ１１を有している。グリップ１１の一端（図１（ａ）及び（ｂ）における下端）には、グリップ１１よりも太いバッテリ保持部１２が設けられる。つまり、図１（ａ）及び（ｂ）に示すように、グリップ１１の下端にはバッテリ保持部１２が設けられる。バッテリ保持部１２には、電源であるバッテリ１００が装着される。図示されるように、バッテリ１００は、グリップ１１よりも幅が広く重く形成されている。このため、バッテリ１００をバッテリ保持部１２に装着した状態で、バッテリ１００を基台として機能させることができ、トーチライト１０を作業台等に置くことができる。また、図１（ａ）に示すように、グリップ１１は、バッテリ１００の中央部に位置せず、バッテリ１００に対して右側に偏って位置している。なお、本明細書において、グリップ１１の下端（一端）とは、図１（ａ）に示したグリップ１１の下側の端部を意味している。グリップ１１の上端（他端）とは、図１（ａ）に示したグリップ１１の上側の端部を意味している。また、グリップ１１の後方（一方の側）とは、図１（ａ）に示したグリップ１１の右側を意味している。グリップ１１の前方（他方の側）とは、図１（ａ）に示したグリップ１１の左側を意味している。換言すれば、グリップ１１の後方とは、作業者がグリップ１１を把持する際に、作業者の手の平が接する側を意味している。グリップ１１の前方とは、作業者がグリップ１１を把持する際に、作業者の指が接する側を意味している。
【００１５】
トーチライト１０は、グリップ１１の他端（図１（ａ）及び（ｂ）における上端）に装着される照射部基部１４を有している。つまり、図１（ａ）及び（ｂ）に示すように、グリップ１１の上端には照射部基部１４が設けられている。照射部基部１４は、グリップ１１の他端に第１回動軸１３を介して設けられ、第１回動軸１３を中心に回動可能つまり第１回動軸１３の回りに回動可能である。照射部基部１４には、細長い照射部先端部１５が装着されている。このトーチライト１０においては、照射部基部１４と照射部先端部１５とによって照射部が構成されている。また、照射部基部１４には第１ランプ１４１が設けられており、照射部先端部１５には第２ランプ１５１が設けられている。すなわち、グリップ１１の上端には、照射部基部１４及び照射部先端部１５を備えた照射部が接続されている。また、照射部には、光を照射するランプとして、第１ランプ１４１と第２ランプ１５１とが設けられる。第１回動軸１３を中心に照射部を回動させることにより、照射部から照射される光の照射方向はグリップ１１を基準に可変させることが可能である。なお、換言すれば、第１ランプ１４１は照射部のグリップ１１側の端部に設けられており、第２ランプ１５１は照射部の側面に設けられている。
【００１６】
図１（ａ）に示されるように、照射部先端部１５は、グリップ１１に沿って細長く形成される。このため、第２ランプ１５１も、グリップ１１に沿って細長く形成される。第２ランプ１５１としては、例えば複数のＬＥＤを細長く配列し、これらのＬＥＤを細長いレンズで覆った構成のランプを用いることができる。こうした構成によって、第２ランプ１５１による照射範囲（投光範囲）を広くすることができる。第２ランプ１５１は、特に広い範囲を照射するために適している。
【００１７】
一方、図１（ａ）に示されるように、照射部基部１４は、グリップ１１の上端部を覆うように形成される。このため、第１ランプ１４１を、第２ランプ１５１のように細長く形成することは困難である。このため、第１ランプ１４１においては、照度の大きな光源を用いることができる。しかしながら、第１ランプ１４１においては、第２ランプ１５１よりも小さなレンズが用いられる。第１ランプ１４１は、特定の箇所を特に明るく照明するために適している。
【００１８】
第１回動軸１３は、グリップ１１に固定される。第１回動軸１３は、図１（ａ）で示す場合には紙面と垂直方向に配置されており、図１（ｂ）で示す場合には左右方向に配置されている。図１（ａ）に示す状態とは、照射部基部１４を第１回動軸１３の回りで回動させ、照射部先端部１５をグリップ１１の長手方向にわたってグリップ１１の一方の側に近づけた状態である。すなわち、図１（ａ）には、グリップ１１の一方の側（図１（ａ）における右側）において、照射部先端部１５がグリップ１１の長手方向に沿って当接するように、あるいは照射部先端部１５がグリップ１１の長手方向に沿って最も近接するように、照射部基部１４を第１回動軸１３の回りで回動させた状態が示されている。また、図１（ａ）には、照射部（照射部基部１４、照射部先端部１５）を、グリップ１１の上端から下方に延びる第２の位置に回動させた状態が示されている。なお、図１（ａ）に示す状態において、照射部先端部１５の長手方向とグリップ１１の長手方向（グリップ１１の軸方向）とは、共に図中の上下方向となる。
【００１９】
また、第１回動軸１３の端部には、第１ランプ１４１と第２ランプ１５１との作動状態を切り替えるスイッチ１３１が設けられる。スイッチ１３１は、第１回動軸１３の軸方向に押すことによって操作される。すなわち、スイッチ１３１は、第１ランプ１４１を照射するか第２ランプ１５１を照射するかを切替可能なスイッチであり、外部から操作できる位置に設けられている。スイッチ１３１を操作することにより、第１ランプ１４１及び第２ランプ１５１の作動状態がサイクリックに変化する。例えば、作動状態としては、（１）第１ランプ１４１と第２ランプ１５１とが共に消灯した状態、（２）第１ランプ１４１のみが点灯した状態、（３）第２ランプ１５１のみが点灯した状態、（４）第１ランプ１４１と第２ランプ１５１とが共に点灯した状態、（５）第１ランプ１４１のみが点滅した状態、（６）第２ランプ１５１のみが点滅した状態、（７）第１ランプ１４１と第２ランプ１５１とが共に点滅した状態、を設定することができる。この他にも、スイッチ１３１を操作することにより、第１ランプ１４１や第２ランプ１５１の照度が調整されるように設定しても良い。
【００２０】
図１（ａ）及び（ｂ）に破線で示すように、照射部先端部１５は、第２回動軸１６を介して照射部基部１４に設けられる。すなわち、照射部先端部１５は、第２回動軸１６の回りで、照射部基部１４に対して回動可能である。第２回動軸１６は照射部基部１４に対して固定され、図１（ａ）及び（ｂ）の形態では、第２回動軸１６は上下方向に沿って配置されている。このように、第１回動軸１３と第２回動軸１６とは、立体交差するように直交する。照射部基部１４を第１回動軸１３の回りに回動させる際や、照射部先端部１５を第２回動軸１６の回りに回動させる際の、トーチライト１０の形態の変化については後述する。なお、図１（ａ）の形態では、第２ランプ１５１はグリップ１１に当接することから、第２ランプ１５１を用いた照明を行っていない。
【００２１】
照射部基部１４を第１回動軸１３の回りで回動させる際や、照射部先端部１５を第２回動軸１６の回りで回動させる際には、所定の回動抵抗を作用させることが好ましい。これによって、所定の大きさ以上の力が働いた場合においてのみ、照射部基部１４や照射部先端部１５を回動させることができ、所望の設定角度で照射部基部１４や照射部先端部１５を固定することができる。あるいは、照射部基部１４や照射部先端部１５を固定する固定機構を設けることにより、所望の設定角度で照射部基部１４や照射部先端部１５の固定を可能にしつつ、照射部基部１４や照射部先端部１５を小さな力で回動させても良い。
【００２２】
図１（ａ）におけるグリップ１１の右側の面、つまりグリップ１１の照射部先端部１５に当接する側の面は、略平面、あるいは曲率半径の大きな曲面である。また、図１（ａ）における照射部先端部１５の左側の面、つまり照射部先端部１５のグリップ１１に当接する側の面は、略平面、あるいは曲率半径の大きな曲面である。一方、図１（ａ）におけるグリップ１１の左側の面、つまりグリップ１１の照射部先端部１５に当接する側の面と反対側の面は、楕円体を構成する曲面に近い曲面形状（前記の曲率半径の大きな曲面よりも曲率半径の小さな曲面形状）を有する。また、図１（ａ）における照射部先端部１５の左側の面、つまり照射部先端部１５のグリップ１１に当接する側の面と反対側の面は、楕円体を構成する曲面に近い曲面形状（前記の曲率半径の大きな曲面よりも曲率半径の小さな曲面形状）を有する。このため、図１（ｃ）に示されるように、グリップ１１と照射部先端部１５とが当接した状態の全体の断面は、略楕円形状となるように構成される。この断面形状や大きさは、作業者がグリップ１１及び照射部先端部１５をまとめて把持できるように設定される。図１（ａ）に示すように、グリップ１１の右側における鉛直方向の形状、つまりグリップ１１の照射部先端部１５側における鉛直方向の形状は、グリップ１１と照射部先端部１５とを当接させるため、長手方向において略直線形状とされている。また、図１（ａ）に示すように、グリップ１１の左側つまりグリップ１１における照射部先端部１５側の反対側には、作業者が照射部先端部１５側からグリップ１１を把持しやすいように、弾性材（エラストマ）１１１が装着されている。なお、図１（ｃ）に示されるように、照射部先端部１５はグリップ１１よりも薄く形成され、作業者はグリップ１１のみを把持することもできる。
【００２３】
図１の形態は、トーチライト１０が最もコンパクトな形態となるように、第１回動軸１３の回りの照射部基部１４の回動角度と、第２回動軸１６の回りの照射部先端部１５の回動角度とが、設定された状態を示している。このため、トーチライト１０が使用されない状態で携帯される際には、通常は図１の形態とされる。
【００２４】
また、図１（ａ）の状態では、バッテリ１００は、前後方向（白矢印に示された方向）にスライド可能である。これにより、バッテリ１００は、バッテリ保持部１２側に設けられたレールに沿って移動し、適正な位置においてラッチ機構でバッテリ保持部１２に固定される。このラッチ機構は、バッテリ１００に設けられたラッチ解除ボタン１０１を押すことによって解除される。ラッチ解除ボタン１０１は、バッテリ１００における図１（ａ）に示された側だけでなく、バッテリ１００の反対側の面にも設けられる。作業者は、これらの２つのラッチ解除ボタン１０１を押しながら、バッテリ１００のバッテリ保持部１２への脱着を行う。図２は、バッテリ保持部１２からバッテリ１００が外されたトーチライト１０の形態を示す図であり、図１（ａ）に対応した図である。また、図１（ａ）においては、バッテリ１００は、図中左側からバッテリ保持部１２に装着される。この操作を容易にするため、ラッチ解除ボタン１０１は、バッテリ１００における図中左側に設けられる。
【００２５】
バッテリ保持部１２には、フック１７が装着されている。このフック１７は、トーチライト１０を、壁等に設けられた突起部に係止するために用いられる。フック１７は、ワイヤ（図示せず）を介してバッテリ保持部１２に装着される。フック１７が使用されない場合には、バッテリ保持部１２に設けられたフック収納口１２１に、フック１７は収納されている。フック１７は、不使用時にトーチライト１０を吊り下げて保管する場合、あるいはトーチライト１０を壁等に吊り下げて照明として使用する場合に用いられる。
【００２６】
上記のトーチライト１０においては、作業者がトーチライト１０を携帯して使用することもでき、トーチライト１０を作業台等に載置して使用することもできる。どちらの場合においても、トーチライト１０によって照明される方向を、作業において最適な方向に調整することができる。以下では、トーチライト１０を作業者が携帯して使用する際の態様について説明する。この場合には、照明のために、第２ランプ１５１と第１ランプ１４１とを同時に使用することもできる。
【００２７】
図３は、図１に示される形態のトーチライト１０を、作業者が把持して携帯しながら使用する際の状況を示す図である。図３に示されるように、図中右側に位置する作業者は、バッテリ１００側を手前にして、照射部先端部１５とグリップ１１とが一体化された部分を、手Ｈで把持する。これにより、トーチライト１０の第１ランプ１４１から、略前方（図３における破線白矢印の方向）に光を発することができる。また、グリップ１１を手Ｈで把持した状態で、照射部基部１４を第１回動軸１３の回りで回動させることにより、第１ランプ１４１が発する光の方向を調整することができる。図４（ａ）〜（ｄ）は、照射部基部１４の回動角度を、図３の状態から反時計回りに４５°、９０°、１３５°、１８０°とした場合の形態を示す。このように、第１回動軸１３を中心として照射部基部１４を回動させることにより、第１ランプ１４１が発する光の方向を調整することができる。また、図３に示す形態では、第２ランプ１５１による照射が実質的にできなかったのに対し、図４（ａ）〜（ｄ）に示す形態では、後方から上方に向かう照射をすることができる。
【００２８】
なお、第１回動軸１３の回りで回動する照射部基部１４の可動範囲は、図４における時計回り方向においては、図１に示すように、照射部先端部１５がグリップ１１の上側に当接することによって制限される。一方、反時計回り方向においては、照射部基部１４の反時計回り方向側の端部がグリップ１１に当接することで制限される。図示する場合には、図４（ｄ）に示すように、第１回動軸１３を中心とした照射部基部１４の回動角度が１８０°である場合が、反時計回り方向における照射部基部１４の回動限界である。照射部基部１４の反時計回り方向の可動範囲は、照射部基部１４の構造によっては、１８０°よりも大きく設定することは可能である。しかしながら、照射部基部１４の反時計回り方向の回動角度を、３６０°近くに設定することは困難である。このため、図４（ａ）〜（ｄ）に示された形態においては、第２ランプ１５１によって前方あるいは下方を照射することは困難である。
【００２９】
これに対して、照射部先端部１５は、第２回動軸１６を中心に、照射部基部１４に対して回動可能である。図５（ａ）〜（ｄ）のそれぞれは、図４（ａ）〜（ｄ）のそれぞれに示した状態から、照射部先端部１５を第２回動軸１６の回りで１８０°回動させた際の状態を示す。この場合においては、第１回動軸１３を中心に回動する照射部基部１４の回動角度を調整することにより、第２ランプ１５１を用いて、上方から前方、そして前方から下方に向けて、光を照射することができる。すなわち、作業者が、グリップ１１を把持した状態で、照射部基部１４の第１回動軸１３回りの回動角度を調整し、照射部先端部１５の第２回動軸１６回りの回動角度を調整する。このように、照射部基部１４及び照射部先端部１５の回動角度を調整することにより、第２ランプ１５１によって、後方、上方、前方、下方におけるグリップ１１等に遮られない範囲の方向を照射することができる。
【００３０】
なお、図５（ａ）〜（ｄ）に示す状態は、図４（ａ）〜（ｄ）に示す状態から、照射部先端部１５を第２回動軸１６の回りで１８０°回動させた状態である。しかしながら、実際には、照射部先端部１５の回動角度は、任意に設定することができる。このため、例えば、第２ランプ１５１の照射方向を、図４や図５における紙面手前側や紙面向こう側、つまり第１回動軸１３の軸方向に平行な方向（トーチライト１０の側方）とすることもできる。この際、図４、５のどの状態でも、重量バランスが良く、作業者がトーチライト１０を把持し易いことは明らかである。
【００３１】
このため、第２ランプ１５１による照射方向を、作業者から見て、図６（ｂ）に示すように、斜め前方にすることができ、図６（ａ）に示すように、斜め後方にすることもできる。図７（ａ）及び（ｂ）は、トーチライト１０を図６（ｂ）及び（ａ）の形態とした際における、トーチライト１０と作業者との位置関係を示す。特に図７（ｂ）に示されるように、第２ランプ１５１による照射方向を斜め後方とした場合には、例えば、作業者が右手でトーチライト１０を把持しつつ、作業者の前方に位置する作業機器を第１ランプ１４１で照らしながら、左手に持った取扱説明書を第２ランプ１５１で照らすことができる。すなわち、暗い環境下における作業を、トーチライト１０を用いて効率的に行うことができる。
【００３２】
また、図１（ａ）に示すように、グリップ１１は、バッテリ１００に対して右側に偏っている。これにより、図３に示すように、トーチライト１０の重心Ｇは、グリップ１１の中心軸よりも図３における下側に位置する。つまり、トーチライト１０の重心Ｇは、照射部先端部１５１が折り畳まれた際に、照射部先端部１５１が当接するグリップ１１の側と反対側（グリップの他方の側）に偏って位置する。このため、図４、５、７の形態において、トーチライト１０の重心は低い位置となり、作業者はトーチライト１０を安定して把持することができる。また、図３に示すように、グリップ１１の上側と下側とでは、バッテリ１００あるいはバッテリ保持部１２の突出長さが相違している。つまり、グリップ１１の上側における突出長さＢは、グリップ１１の下側における突出長さＣよりも小さい。すなわち、バッテリ１００あるいはバッテリ保持部１２とグリップとの距離である突出長さは、照射部先端部１５がある側（図３における上側：一方の側）でＢであり、その反対側である照射部先端部１５のない側（図３における下側：他方の側）でＣである。図１（ａ）に示すように、グリップ１１はバッテリ１００に対して右側に偏ることから、突出長さＢは突出長さＣよりも小さい（Ｃ＞Ｂ）。換言すれば、グリップ１１の上側（一方の側）における、グリップ１１と、バッテリ１００又はバッテリ保持部１２のグリップ１１から最も遠い箇所との距離Ｂは、グリップ１１の下側（他方の側）における、グリップ１１と、バッテリ１００又はバッテリ保持部１２のグリップ１１から最も遠い箇所との距離Ｃよりも小さい。なお、前述の突出距離とは、グリップ１１における一端側と他端側とを結ぶ軸から見た際に、バッテリ１００又はバッテリ保持部１２におけるグリップ１１から最も遠い箇所とグリップ１１の表面と間の距離である。このように、グリップ１１の一方側と他方側とでバッテリ１００等の突出長さが異なるため、図４、５、７に示されたように、照射部先端部１５がある側、つまりバッテリ１００等の突出長さが小さな側から、作業者がグリップ１１を把持した場合には、バッテリ１００やバッテリ保持部１２に対して手が接触しにくい。また、照射部先端部１５がグリップ１１に沿う図１（ａ）の状態においては、作業者は照射部先端部１５及びグリップ１１からなる断面構造（図１（ｃ）に示される構造）を把持するため、これを把持する手は、バッテリ１００やバッテリ保持部１２に対して更に当接しにくくなる。このため、照射部先端部１５の設定角度によらず、作業者はトーチライト１０を携帯しやすい。この際、弾性材１１１は、グリップ１１を把持する手において最も負荷のかかる箇所に設けられているため、トーチライト１０の携帯が弾性材１１１によって更に容易となる。
【００３３】
図１（ａ）に示されたように、バッテリ１００には、ラッチ解除ボタン１０１が設けられている。バッテリ１００の脱着時には、作業者はラッチ解除ボタン１０１を押しながらバッテリ１００をスライドさせる。前記の通り、ラッチ解除ボタン１０１は、バッテリ１００の図１（ａ）における左側に設けられている。つまり、ラッチ解除ボタン１０１は、バッテリ１００の装着時に把持される側に設けられている。図１（ａ）における、トーチライト１０の全高を低く保ち、かつ作業者がラッチ解除ボタン１０１を操作しやすくするためには、バッテリ１００に設けられるラッチ解除ボタン１０１は、グリップ１１よりも図１（ａ）の左側もしくは右側に位置することが好ましい。この場合において、前記の通り、バッテリ１００あるいはバッテリ保持部１２の突出長さをＣ＞Ｂとするためには、ラッチ解除ボタン１０１を図１（ａ）における左側に配置することが好ましいことは明らかである。このため、バッテリ１００は、バッテリ保持部１２に対して、グリップ１１が偏って固定された側（図１（ａ）における右側）、又は反対側（図１（ａ）における左側）から装着することが、トーチライト１０を携帯しやすく、かつバッテリ１００の脱着作業を容易とするために特に好ましい。
【００３４】
次に、上記のトーチライト１０を作業台等に載置して使用する際の態様について説明する。この場合には、図１に示されたように、バッテリ１００が地面等に接触するようにトーチライト１０を置くと、特に安定してバッテリ１００を載置することができる。
【００３５】
この場合には、広い面積をもつために広い投光面積をもつ第２ランプ１５１を、主に用いることができる。図８（ａ）〜（ｄ）のそれぞれは、上記のトーチライト１０を載置して図１（ａ）の状態から、照射部先端部１５及び照射部基部１４を、第１回動軸１３の回りで、回動させた形態を示している。つまり、図８（ａ）〜（ｄ）のそれぞれは、図１（ａ）の状態から、照射部先端部１５及び照射部基部１４を、反時計回りに４５°、９０°、１３５°、１８０°で回動させた形態を示している。また、図８（ｄ）には、照射部（照射部基部１４、照射部先端部１５）を、グリップ１１の上端から上方に延びる第１の位置に回動させた状態が示されている。さらに、図８（ｂ）には、照射部（照射部基部１４、照射部先端部１５）を、グリップ１１の上端から後方に延びる第３の位置に回動させた状態が示されている。
【００３６】
図８（ａ）〜（ｄ）に示す場合には、第２ランプ１５１によって、図８における下方から右方を照射することができる。図５と同様に、照射部先端部１５を第２回動軸１６の回りで回動させることにより、第２ランプ１５１を用いて、図８における上方から前方を照射させることができることも明らかである。すなわち、図４及び図５に示した場合、つまりトーチライト１０を携帯して使用する場合と同様に、トーチライト１０を置いて使用した場合であっても、第２ランプ１５１によって大部分の方向を照射することができる。
【００３７】
ただし、図８（ｂ）及び（ｃ）に示すように、第２ランプ１５１によって下方を照射する場合には、図中の破線で示されるように、グリップ１１に近い側の照射範囲は、グリップ１１、バッテリ保持部１２、あるいはバッテリ１００によって制限される。特に、図８（ｂ）のように、第２ランプ１５１によって直下を照射する場合には、バッテリ保持部１２やバッテリ１００によって光が遮られる。この点において、トーチライト１０は、図３に示すように、突出長さＢが突出長さＣよりも小さい（Ｃ＞Ｂ）ことから、バッテリ保持部１２やバッテリ１００によって光が遮られる範囲を狭くすることができる。すなわち、トーチライト１０を載置して使用する際に、下方への投光範囲を広くすることができる。こうした特性は、例えばこのトーチライト１０を作業台の上に載置して使用する場合には特に有効である。
【００３８】
このように、様々な方向を照らすことのできる特性は、図１に示した形態や図８（ａ）〜（ｄ）に示した形態に、トーチライト１０の形態を変化させることで実現される。すなわち、照射部先端部１５がグリップ１１に沿って配置される形態（図１に示す形態）から、照射部先端部１５が第１回動軸１３を軸にグリップ１１から離れるように回動した形態（図８（ａ）〜（ｄ）に示す形態）に変化させることが可能であるため、幅広い方向を照らす特性が実現される。なお、図１に示す形態においては、グリップ１１の軸から見たときに、グリップ１１におけるバッテリ保持部１２やバッテリ１００の突出が小さくされた側に沿って、照射部先端部１５が設けられる。また、図８（ａ）〜（ｄ）に示す形態において、回動中心となる第１回動軸１３は、バッテリ保持部１２と反対側に設けられる。
【００３９】
すなわち、上記のトーチライト１０においては、トーチライト１０を作業者が携帯した状態においても、トーチライト１０を載置した場合においても、第２ランプ１５１によって照射される方向として、広い範囲を設定することができる。なお、図８には、第２ランプ１５１による照射についてのみ記載したが、第１ランプ１４１による照射方向も同様に設定されることは明らかである。つまり、トーチライト１０が作業者に把持された場合だけでなく、トーチライト１０が置かれた状態においても、第１ランプ１４１を使用できることは明らかである。
【００４０】
また、前記の通り、フック１７を用いてトーチライト１０は吊り下げられる。このため、トーチライト１０が吊り下げられた状態で、図４、５に示されたように、照射部基部１４及び照射部先端部１５の回動角度が設定されれば、同様にトーチライト１０によって広い範囲を照射することができる。
【００４１】
次に、上記のトーチライト１０の変形例について説明する。上記のトーチライト１０においては、第１ランプ１４１と第２ランプ１５１が用いられたが、利便性を高めるために、更に第３ランプを設けることができる。図９（ａ）は、変形例であるトーチライト１１０の構成を示す側面図であり、図９（ｂ）は、トーチライト１１０の構成を示す斜視図である。図９（ａ）には、図１（ａ）と同じ形態が示されている。
【００４２】
トーチライト１１０において、グリップ１１、バッテリ保持部１２、バッテリ１００、第１回動軸１３、照射部基部１４、フック１７等の構成は、前記のトーチライト１０と同様である。また、図示されていないが、トーチライト１１０においては、トーチライト１０と同様に、第２回動軸についても設けられている。ただし、トーチライト１１０に設けられる照射部先端部２５は、前述した第２ランプ１５１を備えているが、更に、照射部先端部２５の最先端には、第３ランプ２５１が設けられている。第３ランプ２５１は、第１ランプ１４１と比べても更に小さいものの、照射部先端部２５の最先端に設けられているために、作業者が第３ランプ２５１を照射対象（例えば小さな試料等）に近接させることができる。この際、第３ランプ２５１の他に、第１ランプ１４１や第２ランプ１５１を同時に使用しても良いことは明らかである。このため、第１ランプ１４１や第２ランプ１５１を使用する際に、第３ランプ２５１を補助的に使用することができる。
【００４３】
第３ランプ２５１としては、照射部先端部２５の最先端に設けられることから、大きなレンズ等を具備しない単素子のＬＥＤ等を用いることができる。一方で、第３ランプ２５１がレンズ等を具備しない場合には、第３ランプ２５１は特に破損しやすくなる。ここで、図１０は、図９（ａ）に示した形態のトーチライト１１０を平坦な地面（平面）ＧＤに載置した状態を示す図である。図１０に示すように、照射部先端部２５がグリップ１１に沿って折り畳まれた状態においては、第３ランプ２５１が地面ＧＤに当接することが抑制され、破損しやすい第３ランプ２５１が保護される。すなわち、図３に示されるように突出長さＢが突出長さＣよりも小さく形成され（Ｃ＞Ｂ）、図１０に示されるように小さな突出長さＢ側からトーチライト１１０が地面ＧＤに置かれた場合でも、グリップ１１の上端部又は照射部基部１４を地面ＧＤに接触させ、バッテリ保持部１２又はバッテリ１００を地面ＧＤに接触させることにより、地面ＧＤに対する第３ランプ２５１の接触が回避される。このような第３ランプ２５１の保護機能については、トーチライト１１０を載置する場合だけでなく、携帯中のトーチライト１１０を落下させた場合等においても同様に発揮される。すなわち、第３ランプ２５１を照射部先端部２５の先端に設けることにより、第３ランプ２５１を保護することができる。
【００４４】
前述の説明では、照明器具としてトーチライト１０，１１０を例示したが、トーチライトに限られることはなく、他の照明器具に本発明を適用しても良い。また、上記の例においては、トーチライト１０，１１０に、第１、第２ランプ、あるいは更に第３ランプが用いられたが、トーチライトに対して更に他のランプを追加することもできる。こうした場合には、各ランプの照射範囲や、各ランプの点灯の方式（連続点灯、点滅等）は、適宜設定することができる。その切替は、前記のスイッチ１３１と同様のスイッチで行うことができる。また、スイッチ１３１は、図１〜１０のどの状態においても操作できることは明らかである。
【００４５】
また、上記の例では、第１回動軸１３と第２回動軸１６とは、立体交差のように直交する構成とされたが、上記のような照射部基部と照射部先端部の動作が可能な限りにおいて、第１回動軸１３と第２回動軸１６とが直交する必要はない。第１回動軸の回りで照射部基部が回動する際に照射部基部が沿って移動する平面と交差するように第２回動軸を設定し、この第２回動軸が照射部基部に固定されていれば、上記と同様に、第１ランプと第２ランプを用いて様々な態様で広い範囲を照射することができる。
【００４６】
あるいは、第１回動軸の回りで回動する照射部がグリップに装着された構造においては、照射部に設けられたランプが単一である場合においても、上記のように照射部が折り畳まれる側（一方の側）におけるバッテリ保持部、バッテリの突出量を、他方の側よりも小さくすることによって、トーチライトの携帯が特に容易となることは明らかである。すなわち、このようなグリップ、照射部、バッテリ保持部、バッテリの間の位置関係は、ランプの構成によらず有効である。
【符号の説明】
【００４７】
１０、１１０  トーチライト（照明器具）
１１  グリップ
１２  バッテリ保持部
１３  第１回動軸
１４  照射部基部（照射部）
１５、２５  照射部先端部（照射部）
１６  第２回動軸
１７  フック
１００  バッテリ
１０１  ラッチ解除ボタン
１１１  弾性材（エラストマ）
１２１  フック収納口
１３１  スイッチ
１４１  第１ランプ（ランプ）
１５１  第２ランプ（ランプ）
２５１  第３ランプ（ランプ）
Ｈ  手
Ｇ  重心
ＧＤ  地面（平面）